(57)【要約】【課題】  ケースとモジュールとの間に異物が混入していても、分解することなくして、異物を除去し得る時計及び該時計に用いられる循環気体流通配管構造体を提供すること【解決手段】  時計１が、ケース１０と該ケース１０内に収容されるモジュール３０との間に、気体流の循環通路Ｒを有し、ケース１０が該循環通路Ｒを外部につなぐ開口２１を備える。循環気体流通配管構造体５１は、ケース１０の開口２１に対して配置された際に、循環通路Ｒに連通される気体導入管路５３及び気体排出管路５４を備える。【選択図】    図３
2005265515.tif 000002
【特許請求の範囲】
【請求項１】
ケースと該ケース内に収容されるモジュールとの間に、気体流の循環通路を有し、ケースが該循環通路を外部につなぐ開口を備える時計。
【請求項２】
前記ケースが、前記モジュールの表面に対面する内面に、前記循環通路を構成する溝部を有する請求項１に記載の時計。
【請求項３】
前記モジュールが、前記ケースの内面に対面する表面に、前記循環通路を構成する前記溝部を有する請求項１又は２に記載の時計。
【請求項４】
前記モジュールの前記溝部が、該モジュールの背面側表面にある電池収容凹部と該モジュールの外周側表面とをつなぐべく該モジュールの前記背面側表面に形成された溝部分を含む請求項３に記載の時計。
【請求項５】
前記ケースの前記開口が、前記ケースの背面に形成された電池ハッチ取付孔からなる請求項４に記載の時計。
【請求項６】
前記モジュールの前記外周側表面に対面する内周面部分に前記ケースが前記循環通路を構成する溝部分を備える請求項４又は５に記載の時計。
【請求項７】
前記モジュールがデジタルモジュールである請求項１から６までのいずれか一つの項に記載の時計。
【請求項８】
前記モジュールがアナログモジュールである請求項１から６までのいずれか一つの項に記載の時計。
【請求項９】
前記アナログモジュールの時刻表示針の回転軸に沿って前記循環通路を構成する溝部を備える請求項８に記載の時計。
【請求項１０】
ワンサイド組立構造を有する請求項１から９までのいずれか一つの項に記載の時計。
【請求項１１】
前記ケースの開口に対して配置された際に、請求項１から１０までのいずれか一つの項に記載の循環通路に連通される気体導入管路及び気体排出管路を備えた循環気体流通配管構造体。
【発明の詳細な説明】
【技術分野】
【０００１】
本発明は、時計に関する。
【背景技術】
【０００２】
下側のケースが有底容器のような構造を有し、ムーブメント等のモジュールを含む時計部品を該ケースの開口端側から組込み前面側のガラスを含む上側のケースを最後に組付けて組上げるワンサイド組立構造の時計は、知られている（例えば、特許文献１）。
【０００３】
このワンサイド組立構造の時計では、ゴミや毛羽等の異物が表示部分と時計の前面のガラスとの間等に入り込んでいることが組立後に判明した場合、ガラスを外す等の分解をして、異物を取り除く必要がある。このような異物除去は、組立効率を低下させる。この種の時計のうち、特に、ガラスを含む上側ケースを下側ケースに固着するタイプのものでは、ガラスの取外しは、実際上、ガラス及び下側ケースからなる外側筐体（ケース）を破壊することになり、製品の歩留まりを低下させ製造工数を増大させるものとなった。
【０００４】
なお、特許文献１では、前面側の時計ガラス（上側ケース）や下側ケースの底面が湾曲しているけれども、上記の異物の混入・除去の問題は、ワンサイド組立構造の時計に共通の問題であって、湾曲した構造のものに限られない。
【０００５】
また、分解のし易さに差異はあるものの、混入した異物を取り除くために分解や破壊を要することは、精密機械ないし精密電子機械である時計に共通の問題であって、ワンサイド組立構造の時計に限られない。
【特許文献１】特開２００３−２８０５４４
【発明の開示】
【発明が解決しようとする課題】
【０００６】
本発明は前記した点に鑑みなされたものであって、その目的とするところは、ケースとモジュールとの間に異物が混入していても、分解することなくして、異物を除去し得る時計及び該時計に用いられる循環気体流通配管構造体を提供することにある。
【課題を解決するための手段】
【０００７】
本発明の時計は、前記目的を達成すべく、ケースと該ケース内に収容されるモジュールとの間に、気体流の循環通路を有し、ケースが該循環通路を外部につなぐ開口を備える。
【０００８】
本発明の時計では、「ケースが気体流の循環通路を外部につなぐ開口を備える」ので、該開口（入口開口部）から気体流を吹き込むことにより、気体流を循環通路に導入し得る。また、本発明の時計では、「循環通路がケースと該ケース内に収容されるモジュールとの間にある」ので、開口から循環通路に導入された気体流が循環通路を通って、ケースとモジュールとの間を循環するように流れ得る。従って、組立工程等においてケースとモジュールとの間に異物が混入していても、該異物が気体流に随伴されて流され、循環通路を介して開口に達し得る。それ故、循環通路を通って開口（出口開口部）に戻ってきた気体流を外部に排出することにより、開口に達した異物は、排出気体流と共に時計のケースの外部に放出され得る。その結果、組立工程等においてケースとモジュールとの間に異物が混入していても、時計を分解することなくして、異物がケース外に除去され得る。従って、異物が混入した製品ができるのを最低限に抑え得、製品の歩留まりが高められ得、組立効率も高められ得る。
【０００９】
ここで、開口は、気体導入用の入口開口部及び気体排出用の出口開口部を含む。時計のケースに設け得る開口の制約から、典型的には、入口開口部と出口開口部とは、物理的には、連続的につながった一つの開口からなる。但し、所望ならば、入口開口部と出口開口部とがケースを構成する壁部によって分離されていてもよい。その場合、循環通路は、時計のケース内の大半の部分を通るように、気体流が入口開口部から入って出口開口部から出るように入口開口部と出口開口部とを繋ぐという意味で、「循環」する通路をなせばよい。
【００１０】
また、上記の説明では、入口開口部として働く開口から気体が「吹き込まれる」として説明しているけれども、このためには、入口開口部として働く開口に加圧気体を導入しても、出口開口部として働く開口側から気体を吸い出すなどの手段で出口開口部として働く開口側を減圧してもよい。
【００１１】
更に、循環通路は、単純な形状の通路であることが好ましく、典型的には、貫通していない盲穴や断面積と比較して比較的深い（アスペクト比が比較的高い）凹部等が該通路が該循環通路に開口していない（枝分かれしていない）ことが、好ましい。そのような場合には、循環通路に気体流を流す向きは、二方向のうちのいずれであってもよい。但し、構造上、盲穴やアスペクト比が比較的高い凹部等が循環通路に開口するような場合には、循環通路に気体流を流す向きや出口側を積極的に負圧にすべきか入口側を積極的に加圧すべきかは、盲穴やアスペクト比が比較的高い凹部等への気体流の生起させ易さを考慮して選択される。また、当然ながら、循環通路に沿って移動する異物（ゴミや毛羽等）が途中で引っかかったり滞留したりする虞れを最小限にすべく、循環通路の周壁部が滑らかに湾曲していることが好ましい。
【００１２】
以上において、開口の入口開口部と出口開口部とが一つながりになっている場合には、該開口が気体流導入部分と気体流排出部分とに画成されていても、その代わりに、気体導入管路と気体排出管路とを備えた循環気体流通配管構造体が開口に接続されるようになっていてもよい。勿論、いずれか一方の代わりに、両方の構造を備えるようにしておいてもよい。
【００１３】
循環気体流通配管構造体には、空気吸引ポンプ（気体排出管路に取付けられる場合）又は空気吐出ポンプ（気体導入管路に取付けられる場合）が装着され、気体導入管路には、典型的には、フィルタが装着され、循環通路に導入される気体から予め異物が取り除かれる。なお、循環されるべき気体は、空気の代わりに、窒素の如き不活性気体でもよい。
【００１４】
気体流の循環通路は、モジュールの表面に対面するケースの内面に形成された溝部であっても、ケースの内面に対面するモジュールの表面に形成された溝部であってもよく、両方の溝部が混在していてもよい。その場合、両方の溝部が少なくとも一部で対面するように形成されていても、各通路が、いずれか一方のみの溝部で形成されていてもよい。
【００１５】
開口は、典型的には、電池ハッチ取付孔からなり、その場合、典型的には、モジュールの前記溝部が、該モジュールの背面側表面にある電池収容凹部と該モジュールの外周側表面とをつなぐべく該モジュールの前記背面側表面に形成された溝部分を含む。この場合、電池ハッチ取付孔を開口として効果的に利用し得ると共に、電池収容凹部を循環通路の一部として効果的に利用し得る。なお開口が電池ハッチ取付孔からなる場合には、典型的には、該電池ハッチ取付孔は有底容器の形態でケース本体をなす下ケースの底壁に形成され、時計が、ワンサイド組立構造を有することになる。但し、時計がワンサイド組立構造ではなくて、時計が、裏蓋を有する構造でもよく、その場合、裏蓋に更に電池ハッチ取付孔が形成されていてもよい。また、裏蓋を備える時計の場合、例えば、開口は、裏蓋を外した状態のケースの裏側の全体であってもよい。
【００１６】
本発明の時計では、典型的には、モジュールの前記外周側表面に対面する内周面部分にケースが前記循環通路を構成する溝部分を備える。勿論、ケースの内周面部分に溝部を備える代わりに、モジュールの外周面部分に溝部を備えていてもよい。
【００１７】
この明細書において、モジュールとは、ムーブメント及び時計のケース内に組付けられる際に該ムーブメントと一体化されている部分とからなる時計の本体部をいう。従って、モジュールは、それ以上実際上分解できないように一体的に固着されていても、ケース内に組付けられる前に分解可能に組立てられたものであってもよい。モジュールは、アナログ式時計のアナログモジュールであっても、デジタル式時計のデジタルモジュールであってもよい。
【００１８】
また、モジュール以外に該モジュールとは別体のままケース内に組込まれる部品があってもよい。当該部品は、時計の機能部品であっても、中枠の如き支持体であっても、両方であってもよい。
【００１９】
アナログ式時計の場合、例えば、アナログモジュールの時刻表示針の回転軸に沿って前記循環通路を構成する溝部を備えていてもよい。
【００２０】
以上のような本発明の時計がワンサイド組立構造を有する場合には、特に、分解の面倒さを回避したまま、異物の除去を行い得るメリットは、一層高い。但し、時計が、ワンサイド組立構造でなくても、該時計の部品を分解することなく異物を除去し得ることにはメリットがあるから、時計は、必ずしも、ワンサイド組立構造でなくてもよい。
【００２１】
なお、組立方法の観点では、所望ならば、例えば、組立工程の最後の段階に気体流循環段階を組込んで、異物の混入の有無を事前確認することなく、全組立品について、異物除去処理を行うようにしてもよい。
【発明を実施するための最良の形態】
【００２２】
次に、本発明の好ましい実施の形態のいくつかを添付図面に示した好ましい実施例に基づいて説明する。
【実施例１】
【００２３】
本発明による好ましい第一実施例の時計としてのデジタル式腕時計１及びその部品を示した図１〜図３において、デジタル式腕時計１は、ケース１０（図３）と、該ケース１０内に収容されるデジタル式のモジュール３０（図３や図１）とを有する。
【００２４】
例えば、図３の（ｂ）からわかるように、ケース１０は、モジュール収容凹部１１を備えた有底容器の形態の下ケース１２と、該下ケース１２と一体的なバンド１３と、ガラス１４を含み下ケース１２と協働してモジュール収容室Ｊを形成する上ケース１５とを有する。
【００２５】
図２の（ａ）からわかるように、下ケース１２は上側に接合面１６を備え、モジュール収容凹部１１は該接合面１６で開口している。モジュール収容凹部１１は、ほぼ長方形Ａの横断面形状を備え、該長方形Ａを構成する四辺Ａ１，Ａ２，Ａ３，Ａ４のうち対向する短辺Ａ１，Ａ３の中央部には、モジュール収容凹部１１につながった流路形成凹部１７，１８が更に形成されている。モジュール収容凹部１１の断面形状ないし平面形状は、長方形の代わりに、正方形や楕円形や円形など他の形状でもよい。
【００２６】
モジュール収容凹部１１と流路形成凹部１７，１８とは、全体として、下ケース１２の凹部１９をなしている。凹部１９の底壁２０の中央部には、電池の出入れを許容し電池ハッチによって塞がれる開口２１が形成されている。
【００２７】
なお、下ケース１２の側壁２２には、更に、各種の押ボタンスイッチを構成する各種の押ボタン２３が装着されている。
【００２８】
デジタル式のモジュール３０は、図１の（ａ）及び（ｂ）からわかるように、ほぼ直方体状ないし長方形板状の外形を備えた一体物３１からなる。一体物３１の形態のモジュール３０は、ムーブメント（図示せず）を内蔵し、該一体物３１は、ムーブメントに給電するボタン型電池（図示せず）が収容される電池収容凹部３２を備えた電池枠３３や、ムーブメントからの指令に応じた時刻情報などを表示する表示部３４を含む。電池枠３３は、背面３５に、電池収容凹部３２に加えて、該凹部３２とモジュール３０の長手方向端面３６，３７との間に延びた流路形成溝部３８，３９を備える。表示部３４は、ＬＣＤの如き表示素子部４０及び該ＬＣＤ４０等を支えるパネル枠４１を含む。モジュール３０の側面４２，４３には、押ボタン２３の押圧に応じて、ムーブメントに所定の指示を与える各種スイッチ部４４が形成されている。
【００２９】
モジュール３０は、下ケース１２のモジュール収容凹部１１にほぼ一致する直方体状ないし長方形板状の輪郭形状を有する。すなわち、この例では、モジュール３０は、モジュール収容凹部１１の長方形Ａの長辺Ａ２，Ａ４と実質的に同じ長さ（当然ながら、厳密には僅かに小さい）の長辺Ｂ２，Ｂ４を備えると共に、モジュール収容凹部１１の長方形Ａの短辺Ａ１，Ａ３よりも少し小さい長さの短辺Ｂ１，Ｂ３を備えた長方形Ｂの板の形態で、モジュール収容凹部１１の深さと実質的に同じ大きさの厚みを有する。
【００３０】
モジュール３０は、更に、側面４２，４３に、樹脂製の複数の突起部４５，４６を備え、該突起部４５，４６の先端間の距離は、凹部１１の短辺Ａ１，Ａ３の長さよりも少し大きい。従って、モジュール３０が、凹部１１内に押込まれる際に、突起部４５，４６が部分的に潰れて、モジュール３０が凹部１１内に強固に嵌着され得る。
【００３１】
モジュール３０がモジュール収容凹部１１内に嵌着された状態では、下ケース１２の凹部１９の前後方向の側面とモジュール３０の対向端面３６，３７との間には、下ケース１２の流路形成凹部１７，１８に対応する流路Ｒ４，Ｒ２が形成される。また、下ケース１２の凹部１９の底壁ないし底面２０とモジュール３０の下面ないし背面３５との間には、モジュール３０の電池収容凹部３２及び流路形成溝部３８，３９に対応する流路Ｒ１，Ｒ５が形成される。ここで、流路Ｒ１は流路Ｒ２と直接的に連通され、流路Ｒ５は流路Ｒ４と直接的に連通されている。突起部４５，４６は、十分に小さく、モジュール３０の側面４２，４３と凹部１９の対向面との間の間隙は、実際上無視され得る。なお、この間隙に気体流が入る虞れがある場合には、該間隙を接着剤などで塞いでもよい。
【００３２】
なお、突起部４５，４６は、モジュール３０の側面４２，４３の代わりに長手方向端面３６，３７のうち凹部１１の辺Ａ１，Ａ３に直接対面する部分に形成されていても、両方に形成されていてもよい。また、突起部４５，４６が、モジュールに形成される代わりに、モジュール収容凹部１１の内面に形成されていてもよい。更に、モジュール３０のモジュール収容凹部１１への固定が、突起部の代わりに、接着剤などで行われるようになっていてもよい。モジュール３０の長方形の長辺及び短辺の長さは、モジュール３０の凹部１１への固定の仕方に応じて、異なり得る。また、モジュール３０の厚さは、この例では、凹部１１の深さと実質的に同一かそれよりも少し小さいけれども、後述の循環流路Ｒが形成される限り、所望ならば、モジュール３０の厚さが凹部１１の深さよりも大きくてもよい。
【００３３】
上ケース１５は、図３の（ｂ）に示したとおり、接合面２４で下ケース１２の接合面１６に当接するように、下ケース１２に対して組付・固定される。図では示されていないけれども、下ケース１２及び上ケース１５は、相互に嵌着されるように、相補的結合構造ないし相補的形状部を備え、また、図では示されていないけれども、所望に応じた程度のシール構造が接合面１６，２４の間に形成される。
【００３４】
上ケース１５が下ケース１２に対して接合された状態においては、上ケース１５の接合面２４の内縁は、図３の（ａ）において想像線Ｎで示したように、下ケース１２のモジュール収容凹部１１の長方形Ａの長辺Ａ２，Ａ４に沿って位置する長辺部Ｎ２，Ｎ４と、流路形成凹部１７，１８の底部に沿って位置する短辺部Ｎ１，Ｎ３とにより形成される長方形状を有する。なお、上ケース１５は、図３の（ｂ）の断面図からわかるように、外周縁部１５ａに対してガラス１４のある中央部１５ｂが前方に対して突出するように、外周縁部１５ａの近傍が立上っている。従って、モジュール３０が下ケース１２の凹部１１に組込まれた状態において、上ケース１５が下ケース１２に接合されると、上ケース１５の内面２５と、下ケース１２及びモジュール３０の対向表面との間には、横断面が長方形Ｎの形態で多少の厚みのある室Ｒ３が形成される。この室Ｒ３は、長手方向の両端において、下ケース１２の凹部１７，１８とモジュール３０の対向端面３６，３７との間に形成された流路Ｒ２，Ｒ４と直接的に連通される。
【００３５】
以上の如き構成を有するデジタル式腕時計１を、組立てる場合、背面３５が下ケース１２のモジュール収容凹部１１の底面２０に当接するように、モジュール３０を下ケース１２の凹部１１に押込む。このとき、モジュール３０は、その突起４５，４６が凹部１１の対向面によって部分的に押し潰されながら、凹部１１内に嵌合され、背面３５が底面２０に当接するところまで嵌着される。この嵌着状態は、図２の（ｂ）に示した状態に対応する。この状態では、下ケース１２とモジュール３０との間には、前述のように、流路形成凹部１７，１８並びに電池枠３３の電池収容凹部３２及び溝部３９，３８に起因する一つながりの流路Ｒ４，Ｒ５，Ｒ１，Ｒ２（ここで、流路Ｒ５，Ｒ１は凹部３２によってつながっているとみなしても、凹部３２の一部が流路Ｒ５に残部が流路Ｒ１になっているとみなしてもよい）が形成される。
【００３６】
次に、図３の（ａ）及び（ｂ）に示したように、上ケース１５が下ケース１２上に嵌着される。このように、嵌着された状態では、上ケース１５と下ケース１２との間に、更に、流路Ｒ３が形成される。以上のように形成された流路Ｒ１，Ｒ２，Ｒ３，Ｒ４，Ｒ５は、全体として、上下のケース１５，１２内に大きな循環流路Ｒをなす。
【００３７】
なお、下ケース１２に対して上ケース１５を一旦嵌着した後は、上ケース１５を下ケース１２から分離しない限り、ケース１２，１５内への通常の物理的アクセスは、実際上殆ど不可能である。従って、例えば、上ケース１５と下ケース１２との間に視認可能な塵埃の如き異物が混入していることが組立後に判明した場合、上ケース１５を下ケース１２から分離しない限り、ピンセットやワイヤの如き物理的手段で当該異物にアクセスすることはできない。
【００３８】
しかしながら、このデジタル式腕時計１では、流路Ｒ１，Ｒ２，Ｒ３，Ｒ４，Ｒ５からなる循環流路Ｒが形成されているので、この流路Ｒを利用して、塵埃等の除去が可能になる。
【００３９】
塵埃等の除去のためには、例えば図３の（ｂ）に示したように、循環気体流通配管構造体としての空気給排管構造体５１と、空気流形成手段５２とを備えた異物除去用空気流循環駆動装置５０が用いられる。空気配管構造体５１は、空気流Ｓ１を流路Ｒ１に導入するための空気導入管路５３と流路Ｒ５から空気を排出する空気排出管路５４とを含み、空気導入管路５３には導入空気流Ｓ１に含まれる塵埃等を除去するためのフィルタ５７が設けられている。空気流形成手段５２は、この例では、空気流排出管路５４の基端部に設けられた空気吸引ポンプからなる。なお、空気流形成手段５２は、その代わりに、導入管路５３に設けられる空気流吐出ポンプであってもよく、その場合には、フィルタ５７は典型的にはポンプ５２の吸込側及び吐出側の両方に設けられる。
【００４０】
電池収容凹部３２や該凹部３２よりも僅かに大きい電池ハッチ取付孔２１とほぼ同程度の外径を備えた空気配管構造体５１は、この例では、空気導入管路５３と空気排出管路５４とを画成する隔壁部５５を備え、隔壁部５５の先端部５６は、電池収容凹部３２内に突出して、電池収容凹部３２を溝部３８につながり流路Ｒ１の一部をなす導入側部分３２ａと、溝部３９につながり流路Ｒ５の一部をなす排出側部分３２ｂとに分離する。なお、図３の（ｂ）では、隔壁部５５の先端部５５と電池収容凹部３２の底部３２ｃとの間に隙間があるけれども、所望ならば、先端部５５は底部３２ｃに実質的に当接していてもよく、その場合、該当接部が実質的に気密にシールされるようになっていてもよい。
【００４１】
なお、空気配管構造体５１の空気導入管路５３及び空気排出管路５４は、例えば、図３の（ｂ）に示したように、夫々の先端部５３ａ，５４ａで電池ハッチ取付孔２１に嵌合される。勿論、空気流の漏れを実質的に無視し得る限り、先端部５３ａ，５４ａが単に下ケース１２の底壁２０の背面２０ａにおいて電池ハッチ取付孔２１に近接又は当接して配置されてもよい。
【００４２】
時計１の組立後に時計１のケース１０内に残っている塵や毛羽の如き異物を除去するに際しては、以上の如く構成された異物除去用空気流循環駆動装置５０の配管構造体５１を、時計１の電池ハッチ取付孔２１に対して所定位置に配置する（図示の例では嵌合する）と共に隔壁５５を電池収容凹部３２に対して所定位置に配置する（図示の例では、隔壁５５の先端部５６を凹部３２の底壁３２ｃに近接するように配置する。
【００４３】
次に、ポンプ（図示の例では吸引ポンプ）５２を駆動させて、空気をＳ方向に引く。これにより、循環流路Ｒ内に、流路Ｒ１，Ｒ２，Ｒ３，Ｒ４，Ｒ５を通るＳ１方向の空気流Ｓが生じる。なお、空気流Ｓを構成する新たな空気は、フィルタ５７でその中に含まれる塵埃が除去された後、導入管路５３を通って、流路Ｒ１に導入される。流路Ｒ内に又は流路Ｒの近傍に塵埃や毛羽等の異物が残っていたり混入している場合、このような循環空気流Ｓは、該異物を随伴し、排出管路５４及びポンプ５２を介して外部に排出する。従って、時計１の組立後に時計１のケース１０内に塵埃等が残っていても、該塵埃等が時計１のケース１０外に排出され得る。その結果、製品の歩留まりが向上する。
【００４４】
このようにして、異物の除去が完了した後、配管構造体５１を時計１のケース１０から外し、電池ハッチ（図示せず）を電池ハッチ取付孔２１に取付ければよい。異物除去用空気流循環駆動装置５０による処理は、異物の存在を確認した時計についてのみ行うようにしても、全製品について、組立工程の最後に自動的に行うようにしてもよい。後者の場合、異物の存在をチェックする工程を設ける必要がないから、異物の混入頻度が比較的高いような製造環境でも、信頼性の高い製品を、全体として、効率よく製造し得る。
【００４５】
なお、ここでは、モジュール３０の全体が一体物３１からなる例について説明しているけれども、例えば、モジュール３０が下ケース１２内に組付けられ、ケース１０内に全体として静置された状態でモジュール３０の輪郭形状が実際上同じ場合には、モジュール３０が一体物からなる代わりに、モジュール３０が相互に分離ないし分解可能な複数の部品からなっていてもよい。但し、モジュール３０が複数部品からなりモジュール３０の輪郭形状が部分的に異なる場合には、部品相互の間に、循環流Ｓを乱すような流路や過度に細い流路は最低限にすることが好ましい。なお、モジュールが複数の部品からなる場合、部品を下ケース１２内に順次組みつけていくことになり、該部品の組付けを受けるべく下ケースも凹部１１に部品支持構造を備え得る。このような凹部１１の構造は、例えば、特許文献１に示した凹部の構造であり得る。
【００４６】
また、以上においては、上ケース１５が単に下ケース１２に被さっている例について説明したけれども、循環流路Ｒ２，Ｒ３，Ｒ４を塞いだり過度に狭めたりする虞れが実際上ない限り、上ケース１５の一部が、すなわち上ケース１５の内縁Ｎの一部がモジュール３０の上面などに重なっていてもよい。その場合、上ケース１５がモジュール３０の動きを直接規制し得る。
【００４７】
更に、以上においては、循環流路Ｒは、表示部３４の前面の室Ｊ内において時計１の前後方向に気体流Ｓが流れるように構成されているけれども、その代わりに、室Ｊ内において、左右方向に気体流Ｓが流れるように、循環流路Ｒの形成凹部が設けられていても、場合によっては、斜め方向に気体流Ｓが流れるように循環流路Ｒの形成凹部が設けられていてもよい。
【００４８】
なお、ポンプが加圧気体の吐出ポンプからなる場合には、循環流路からの気体流の排出側には、排出管路が設けられなくてもよい。その場合、気体流の排出用開口部がある限り、循環流路は、必ずしも、導入箇所に戻らなくてもよい。そのような場合、循環流路とは、時計１の表示部分の前面の室Ｊを含めて時計の大半の領域を通る流路を指す。
【実施例２】
【００４９】
図４から図６には、本発明による第二実施例の時計としてのアナログ式腕時計２が示されている。この時計２においても、気体流が循環されるように循環流路が形成される点は、時計１と同様である。
【００５０】
アナログ式腕時計２は、ケース６０、該ケース６０内に収容されるアナログ式のモジュール８０とを有する。
【００５１】
ケース６０は、図６からわかるように、深さの浅い円筒状ないし円板状のモジュール収容凹部６１を備えた有底容器の形態の下ケース６２と、ガラス６３を含み下ケース６２と協働してモジュール収容室Ｒを形成する上ケース６４とを有する。この例では図示されていないけれども、下ケース６１にはバンド取付部が設けられ該バンド取付部にバンドが取付けられる。
【００５２】
下ケース６２は上側に接合面６５を備え、モジュール収容凹部６１は該接合面６５で開口している。深さの浅い円筒状ないし円板状のモジュール収容凹部６１は、円の周方向に等間隔に離れた箇所に深さ方向に延びる四つの流路形成凹部６６ａ，６６ｂ，６６ｃ，６６ｄ（総称するとき又は相互に区別しないときには符号６６で表す）を有する。流路形成凹部の数はこの例では四つであるけれども、より少なくても、より多くてもよく、また、場合によっては、等間隔の代わりに、異なる間隔で配置されていてもよい。更に、複数の流路形成凹部６６ａ，６６ｂ，６６ｃ，６６ｄは、典型的には、相互に同一の形状及び大きさであるけれども、場合によっては、一部又は全部の凹部が、形状又は大きさのうちの一方又は両方において、異なっていてもよい。
【００５３】
モジュール収容凹部６１と流路形成凹部６６とは、全体として、下ケース６２の凹部６７をなしている。凹部６６の底壁６８の中央部には、電池の出入れを許容し電池ハッチ（図示せず）によって塞がれる電池ハッチ取付孔ないし開口６９が形成されている。
【００５４】
なお、下ケース６２の円筒状の側壁ないし周壁７０には、更に、基端に竜頭が取付けられた巻真７２の挿通孔７１が形成されている。
【００５５】
アナログ式のモジュール８０は、図４の（ａ）及び（ｂ）や図５の（ｂ）や図６の（ｂ）からわかるように、ほぼ円板状のモジュール本体８１と、同心の針取付部ないし軸部８２ａ，８２ｂ，８２ｃ（総称するとき又は相互に区別しないときには符号８２で表す）でモジュール本体８１に結合・支持された時刻表示針８３ａ，８３ｂ，８３ｃ（総称するとき又は相互に区別しないときには符号８３で表す）と、モジュール本体８１に連結される巻真７２と、モジュール本体８１の前面側に配置される文字板８４とを有する。モジュール本体８１は、より詳しくは、中央に貫通孔８５を備え、軸８２は貫通孔８５内において、夫々の関連輪列８６を介してモジュール本体８１内のムーブメントの本体部分に連結されている。図６の（ｂ）においては便宜上格子状の線で示された輪列８６は、開口を含み、貫通孔８５内における軸線方向への空気流の通過を許容する。孔８５内の輪列８６は、各軸部８２と一体的な部分、ムーブメント本体部分（図示せず）の一部をなす部分及び両部分を連結する部分のうちのいずれの部分であってもよい。いずれにしても、貫通孔８５と軸８２との間には、貫通流路Ｃが形成される。
【００５６】
円板状のモジュール本体８１は、ムーブメント（図示せず）を内蔵し、該ムーブメントに給電するボタン型電池（図示せず）が収容される電池収容凹部８７を背面８１ａの中央部に備える。図６の（ｂ）では、電池収容凹部８７と貫通孔８５とが同程度の径であるかの如く示されているけれども、凹部８７は孔８５よりも大径であり得る。モジュール本体８１の背面８１ａには、電池収容凹部８７に加えて、該凹部８７と周面８１ｂとの間に十字型に放射状に延びた流路形成溝部８８ａ，８８ｂ，８８ｃ，８８ｄ（総称するとき又は相互に区別しないときには符号８８で表す）を備える。
【００５７】
モジュール本体８１及び文字板８４は、下ケース６２のモジュール収容凹部６１にほぼ一致する円筒状の輪郭形状を有する。すなわち、この例では、モジュール本体８１は、モジュール収容凹部６１の円Ｅの径と実質的に同じ大きさ（当然ながら、厳密には僅かに小さい）の円形の周面８１ｂを備える。文字板８４も同様である。この例では、モジュール本体８１及び文字板８５の全体の厚さは、モジュール収容凹部６１の深さと同程度又はそれよりも少し小さい。
【００５８】
モジュール本体８１は、更に、周面８１ｂに、樹脂製の複数の突起部８９を備え、該突起部８９を含めた径は、モジュール収容凹部６１の径よりも少し大きい。従って、モジュール本体８１が、凹部６１内に押込まれる際に、突起部８９が部分的に潰れて、モジュール８１が凹部６１内に強固に嵌着され得る。
【００５９】
モジュール本体８１がモジュール収容凹部６１内に嵌着された状態では、下ケース６２の凹部６７の側面ないし周面とモジュール本体８１の周面８１ｂとの間には、下ケース６２の流路形成凹部６６ａ，６６ｂ，６６ｃ，６６ｄに対応する流路Ｆａ，Ｆｂ，Ｆｃ，Ｆｄ（総称するとき又は相互に区別しないときには符号Ｆで表す）が形成される。また、下ケース６２の凹部６７の底壁ないし底面６８とモジュール本体８１の下面ないし背面８１ａとの間には、モジュール本体８１の電池収容凹部８７及び流路形成溝部８８ａ，８８ｂ，８８ｃ，８８ｄに対応する流路Ｇａ，Ｇｂ，Ｇｃ，Ｇｄ（総称するとき又は相互に区別しないときには符号Ｇで表す、なお、図６の（ｂ）の断面で見えないＧａ及びＧｃは図示せず）が形成される。ここで、流路Ｆは流路Ｇと、より詳しくは、流路Ｆａは流路Ｇａと、流路Ｆｂは流路Ｇｂと、流路Ｆｃは流路Ｇｃと、流路Ｆｄは流路Ｇｄと直接的に連通される。
【００６０】
なお、突起部８９は、モジュール本体８１の周面８１ｂの代わりにモジュール収容凹部６１の内面に形成されていてもよく、更に、モジュール本体８１のモジュール収容凹部６１への固定が、突起部の代わりに、接着剤などで行われるようになっていてもよいことなどは、時計１の場合と同様である。モジュール本体８１及び文字板８４の全体の厚さは、この例では、凹部６１の深さよりも少し小さいけれども、後述の循環流路が形成される限り、所望ならば、モジュール本体８１及び文字板８４の全体の厚さが凹部６１の深さよりも大きくてもよい。
【００６１】
上ケース６４は、接合面７３で下ケース６２の接合面６５に当接するように、下ケース６２に対して組付・固定される。図では示されていないけれども、下ケース６２及び上ケース６４は、相互に嵌着されるように、相補的結合構造ないし形状部を備え、また、図では示されていないけれども、所望に応じた程度のシール構造が接合面６５，６３の間に設けられることも、時計１の場合と同様である。
【００６２】
上ケース６４が下ケース６２に対して接合された状態においては、上ケース６４の接合面７３の内縁は、図６の（ａ）において想像線Ｍで示したように、下ケース６２の流路形成凹部６６の底部（外周部）にほぼ沿った円からなる。なお、上ケース６４は、図６の（ｂ）の断面図からわかるように、外周縁部６４ａに対してガラス６３のある中央部６４ｂが前方に突出するように、外周縁部６４ａの近傍が立上っている。従って、モジュール本体部６１が下ケース６２の凹部６１に組込まれた状態において、上ケース６４が下ケース６２に接合されると、上ケース６４の内面７４と下ケース６２及びモジュール本体８１の対向表面との間には、横断面が円形で多少の厚みのあるドーム状の室Ｈが形成される。この室Ｈは、外周縁部の四箇所において、下ケース６２の凹部６６（すなわち、６６ａ，６６ｂ，６６ｃ，６６ｄ）とモジュール本体８１の対向周面８１ｂとの間に形成された流路Ｆ（すなわち、Ｆａ，Ｆｂ，Ｆｃ，Ｆｄ）と直接的に連通される。
【００６３】
以上の如き構成を有するアナログ式腕時計２を、組立てる場合、背面８１ａが下ケース２２のモジュール収容凹部６１の底面６８に当接するように、モジュール本体８１を下ケース６２の凹部６１に押込む。このとき、モジュール本体８１は、その突起８９が凹部６１の対向面によって部分的に押し潰されながら、凹部６１内に嵌合され、背面８１ａが底面６８に当接するところまで嵌着されることは、時計１の場合と同様である。この嵌着状態は、図５の（ｂ）に示した状態に対応する。この状態では、下ケース６２とモジュール本体８１との間には、前述のように、電池収容凹部８７及び溝部８８（すなわち、８８ａ，８８ｂ，８８ｃ，８８ｄ）に起因する流路Ｇ（すなわち、Ｇａ，Ｇｂ，Ｇｃ，Ｇｄ）が形成される。
【００６４】
次に、図６の（ａ）及び（ｂ）に示したように、上ケース６４が下ケース６２上に嵌着される。このように、嵌着された状態では、上ケース６４と下ケース６２との間に、更に、流路Ｈが形成される。以上のように形成された流路Ｃ，Ｈ，Ｆ，Ｇは、全体として、上下のケース６４，６２内に大きな循環流路Ｐをなす。
【００６５】
この場合にも、下ケース６２に対して上ケース６４を一旦嵌着した後は、上ケース６４を下ケース６２から分離しない限り、ピンセットやワイヤなどで内部の塵埃等にアクセスすることはできないけれども、流路Ｃ，Ｈ，Ｆ、Ｇからなる循環流路Ｐが形成されているので、この流路を利用して、塵埃等の除去が可能になる。
【００６６】
塵埃等の異物の除去のためには、例えば図６の（ｂ）に示したように、循環気体流通配管構造体としての空気給排管構造体９１と、空気流形成手段９２とを備えた異物除去用空気流循環駆動装置９０が用いられる。空気流形成手段９２は、前述の空気流形成手段５２と同様なものである。
【００６７】
空気配管構造体９１は、空気流ＳをＳ２方向に流路Ｃに導入するための空気導入管路９３と流路Ｇから空気をＳ２方向に排出する空気排出管路９４とを含み、空気導入管路９３にはフィルタ５７と同様なフィルタ９７が設けられる。空気流形成手段９２やフィルタ９７の種類や配置などの変更可能性も前述の場合と同様である。
【００６８】
空気導入管路９３は、配管構造体９１が所定位置に配設された際に、電池収容凹部８７内に突出する先端部９５を有する。一方、空気排出管路９４は、配管構造体９１が所定位置に配設された際に、電池ハッチ取付孔６９に密接される先端部９６を有する。先端部９６は、孔６９に嵌合されてもよい。なお、空気流の漏れを実質的に無視し得る限り、例えば、空気排出管路９４の先端部９６が単に下ケース６２の底壁６８の電池ハッチ取付孔６９を介して電池収容凹部８７に対面するように配置されてもよい。空気導入及び排出管路９３，９４の配置は、逆（内側が排出管路で外側が導入管路）でもよい。ポンプの種類及び該ポンプが取付けられる管路並びにフィルタの取付位置が、ポンプ及びフィルタの機能に応じて、適宜変更されることは、時計１の場合と同様である。
【００６９】
時計２の組立後に時計２のケース６０内に残っている塵埃などを除去するに際しては、以上の如く構成された異物除去用空気流循環駆動装置９０の配管構造体９１を、時計２の電池ハッチ取付孔６９及び電池収容凹部８７に対して所定位置に配置する。
【００７０】
次に、ポンプ（図示の例では吸引ポンプ）９２を駆動させて、空気をＳ方向に引く。これにより、循環流路Ｐ内に、流路Ｃ，Ｈ，Ｆ，Ｇを通るＳ２方向の空気流Ｓが生じる。なお、空気流Ｓを構成する新たな空気は、フィルタ９７でその中に含まれる塵埃が除去された後、導入管路９３を通って、端部９５から流路Ｃに導入される。この空気流は、次に、円板状の室ないし流路Ｈをほぼ半径方向外向きに放射状にＳ２方向に流れて、流路Ｆ（即ち、Ｆａ，Ｆｂ，Ｆｃ又はＦｄ）に達し、該流路Ｆからこれにつながった流路Ｇ（即ち、Ｇａ，Ｇｂ，Ｇｃ又はＧｄ）を通って排出管路９４に達する。従って、時計１の場合と同様に、流路Ｃ，Ｈ，Ｆ，Ｇからなる流路Ｐ内に又は該流路Ｐの近傍に塵埃等が残っていたり混入している場合でも、このような循環空気流Ｓは、該塵埃等を随伴し、排出管路９４及びポンプ９２を介して外部に排出する。従って、時計２の組立後に時計２のケース６０内に塵埃等が残っていても、該塵埃等が時計２のケース６０外に排出され得る。
【００７１】
以上においては、流路Ｃから空気流を導入し、流路Ｇから空気流を排出する例について説明したけれども、その代わりに、流路Ｇから空気流を導入し流路Ｃから空気流を排出するようにしてもよい。
【００７２】
なお、ここでは、アナログ時計２が、ほぼ円形である例について説明したけれども、時計２は、円形の代わりに例えば図３に示したようにほぼ長方形であってもよい。その場合にも、例えば、アナログ時計に固有の時刻表示針の軸に沿った流路Ｃから空気流を導入したり、該流路Ｃから空気流を排出する。但し、所望ならば、その代わりに、時刻表示針の軸に沿った流路Ｃを形成しないで、図１〜図３に示した例と同様に、長方形の長手方向に沿った循環流路を形成してもよい。アナログ時計２が円形の場合でも、流路Ｃを設けることなく、流路Ｇａ，Ｇｂ，Ｇｃ，Ｇｄのうちの一つ、又は周方向に隣接する二つ又は三つの流路から気体流を導入又は排出し、残りの流路から気体流を排出又は導入するようにしてもよい。
【００７３】
また、この例では、モジュール８０の本体部の全体が実質的に一体的な物からなる例について説明しているけれども、例えば、モジュール８０が下ケース６２内に組付けられ、ケース６０内に全体として静置された状態でモジュール８０の輪郭形状が実際上同じ場合には、モジュール８０の本体部８１が一体的な物からなる代わりに、モジュール８０の本体部８１が相互に分離ないし分解可能な複数の部品からなっていてもよい。但し、モジュール８０の本体部８１が複数部品からなりモジュール８０の本体部の輪郭形状が部分的に異なる場合には、部品相互の間に、循環流Ｓを乱すような流路や過度に細い流路は最低限にすることが好ましい。
【００７４】
また、以上においては、上ケース６４が単に下ケース６２に被さっている例について説明したけれども、循環流路Ｆを塞いだり過度に狭めたりする虞れが実際上ない限り、上ケース６４の一部が、すなわち上ケース６４の内縁Ｍの一部がモジュール８０の上面などに重なっていてもよい。その場合、上ケース６４がモジュール８０の動きを直接規制し得る。
【００７５】
以上においては、下ケース１２や６２が底２０又は６８のあるモジュール収容凹部１１や６１を備え、モジュール３０や８０が前面側から組込まれるワンサイドアセンブルタイプの時計１，２の例について説明したけれども、時計１，２は、循環流路を備える限り、裏ブタが取外し可能で裏ブタ側及び前面ガラス側の両方から組付け可能な時計であってもよい。その場合でも、循環流路を介して空気流を流すことにより、一旦組立てた時計を分解することなく、該時計内に侵入している不測の塵埃等の除去が行われ得る。
【図面の簡単な説明】
【００７６】
【図１】本発明による好ましい第一実施例のデジタル式腕時計で用いられるデジタル式モジュールを示したもので、（ａ）は表示側の斜視説明図、（ｂ）は電池収容部側の斜視説明図。
【図２】第一実施例の下ケース等を示したもので、（ａ）は図１のデジタル式モジュールが収容されるモジュール収容凹部を備えた下ケースの斜視説明図、（ｂ）は（ａ）の下ケースに図１のデジタル式モジュールを収容した状態の斜視説明図。
【図３】第一実施例のデジタル式腕時計を示したもので、（ａ）は前面側の斜視説明図（但し、上ケースは想像線で示されている）、（ｂ）は（ａ）の時計に対して空気流循環駆動装置を取付けて作動させた状態を（ａ）のＩＩＩＢ−ＩＩＩＢ線断面で示した説明図、（ｃ）は（ｂ）のＩＩＩＣ−ＩＩＩＣ線断面説明図。
【図４】本発明による好ましい第二実施例のアナログ式腕時計で用いられるアナログ式モジュールを示したもので、（ａ）は時刻表示側の斜視説明図、（ｂ）は電池収容部側の斜視説明図。
【図５】第二実施例の下ケース等を示したもので、（ａ）は図４のアナログ式モジュールが収容されるモジュール収容凹部を備えた下ケースの斜視説明図、（ｂ）は（ａ）の下ケースに図４のアナログ式モジュールを収容した状態の斜視説明図。
【図６】第二実施例のアナログ式腕時計を示したもので、（ａ）は前面側の斜視説明図（但し、上ケースは想像線で示されている）、（ｂ）は（ａ）の時計に対して空気流循環駆動装置を取付けて作動させた状態を（ａ）のＶＩＢ−ＶＩＢ線断面で示した説明図。
【符号の説明】
【００７７】
１  デジタル式腕時計
２  アナログ式腕時計
１０，６０  ケース
１１，６１  モジュール収容凹部
１２，６２  下ケース
１５，６４  上ケース
１７，１８，６６，６６ａ，６６ｂ，６６ｃ，６６ｄ  流路形成凹部
２０，６８  底壁
２１，６９  電池ハッチ取付孔
３０，８０  モジュール
３２，８７  電池収容凹部
３８，３９，８８，８８ａ，８８ｂ，８８ｃ，８８ｄ  流路形成溝部
５０，９０  空気流循環駆動装置
５１，９１  配管構造体
５２，９２  ポンプ
５３，９３  空気流導入管路
５４，９４  空気流排出管路
５５  隔壁
５７，９７  フィルタ
８５  孔
Ｐ，Ｃ，Ｆ，Ｇ，Ｈ  循環流路
Ｒ，Ｒ１，Ｒ２，Ｒ３，Ｒ４，Ｒ５  循環流路
Ｓ  循環流
Ｓ１，Ｓ２  循環流の流れ方向
【図１】
2005265515.tif 000003
【図２】
2005265515.tif 000004
【図３】
2005265515.tif 000005
【図４】
2005265515.tif 000006
【図５】
2005265515.tif 000007
【図６】
2005265515.tif 000008